(57)【要約】【課題】ネットに設けられたＬＥＤ照明手段に簡素な構造で電力を供給することができるネスピーカーシステムを提供する。【解決手段】スピーカーボックス１の電力供給部５は本体からの電力を２つに分配し、それぞれウーハ−スピーカー３につながるリード線１１と突起部６ａ、６ｂにつながるリード線１２ａ、１２ｂとに供給する。ネット２に備えられたＬＥＤ基板４の前方には、ＬＥＤ１３の光を透過して、所定のマーク（例えば△）１４を写しだすバッチ１５が配置されている。このＬＥＤ基板４は、同じネット２に備えられた凹部１６ａ，１６ｂにバネ性を持った金属端子１７で接続されている。また、凹部１６ａ、１６ｂは、  導電体でできており、凹部１６ａ  、１６ｂ  と突起部６ａ、６ｂ  とを嵌合させることでＬＥＤ基板４と電力供給部５とが、電気的に接続される。【選択図】  図３
2004328404.tif 000002
【特許請求の範囲】
【請求項１】
スピーカーボックスとこのスピーカーボックスの前面に着脱自在に取り付けられるネットとを備えたスピーカーシステムにおいて、
前記ネットに設けられ、ネットの所定部を照明するＬＥＤ照明手段と、
前記スピーカーへの供給電力を前記スピーカーと前記ＬＥＤ照明手段とに分ける電力分配手段と、
前記スピーカーボックスと前記ネットとを連結し電気的に導通する接続手段と、
前記接続手段を介して、前記電力分配手段からの電力を前記ＬＥＤ照明手段に伝送する伝送手段と、
を備えたことを特徴とするスピーカーシステム。
【請求項２】
前記接続手段は凹部と前記凹部と嵌合する突起部とで構成され、
前記凹部は前記ネットに設けられ、
前記突起部は前記スピーカーボックスの前面に設けられ、前記電力分配手段に導通する導電体からなることを特徴とする請求項１に記載のスピーカーシステム。
【請求項３】
前記接続手段は凹部と前記凹部と嵌合する突起部とで構成され、
前記凹部は前記スピーカーボックスの前面に取り付けられ、前記電力分配手段に導通する導電体からなり、
前記突起部は前記ネットに設けられたことを特徴とする請求項１に記載のスピーカーシステム。
【請求項４】
前記接続手段は前記スピーカーボックスと前記ネットとを固定する手段を兼ねることを特徴とする請求項１ないし３の何れかに記載のスピーカーシステム。
【発明の詳細な説明】
【０００１】
【発明の属する技術分野】
この発明は、スピーカーと共に照明装置を備えたスピーカーシステムに関するものである。
【０００２】
【従来の技術】
音響装置に備えられた音声を出力するスピーカーシステムには、音声を出力するスピーカーとともに正面に位置するネット上の一部（例えばマーク等の取り付け部）を点灯させる照明手段を備えたものがある。
【０００３】
このような装置としては、マーク等のネット上の一部に光を照射する電球等の照明部をスピーカーボックス内に形成したものがある（例えば特許文献１参照）。
【０００４】
【特許文献１】
実開平６−１９３８９号公報（図２）
【０００５】
【発明が解決しようとする課題】
ところが、従来のスピーカーシステムでは、スピーカーやその他の音響部品の配置が優先されるので、照明部を配置する位置は限定されていた。また、スピーカーボックスの前面に備え付けられたネットに、電源を含む照明部全体を配置することはスペース上困難であるので照明部の点灯部を直接ネットに設置することは難しかった。さらに、上記のスピーカーシステムは照明部に電力を別途供給する手段が必要であり全体の構造が大型化、複雑化する問題があった。
【０００６】
この発明の目的は、ネットに点灯部を含むＬＥＤ照明手段を備え、このＬＥＤ照明手段に簡素な構造で電力を供給することができるスピーカーシステムを提供することにある。
【０００７】
【課題を解決するための手段】
（１）この発明は、スピーカーボックスとこのスピーカーボックスの正面に着脱自在に取り付けられるネットとを備えたスピーカーシステムにおいて、
前記ネットに設けられ、ネットの所定部を照明するＬＥＤ照明手段と、
前記スピーカーへの供給電力を前記スピーカーと前記ＬＥＤ照明手段とに分ける電力分配手段と、
前記スピーカーボックスと前記ネットとを連結し電気的に導通する接続手段と、
前記接続手段を介して、前記電力分配手段からの電力を前記ＬＥＤ照明手段に伝送する伝送手段と、
を備えたことを特徴としている。
この構成では、ＬＥＤ照明手段を用いるためネットの任意の箇所にこれを取付可、且つ、スピーカーへの供給電力の一部を利用してＬＥＤ照明手段を駆動するため、電力の供給手段を別途設ける必要がない。
【０００８】
（２）この発明は、前記接続手段は凹部と前記凹部と嵌合する突起部とで構成され、
前記凹部は前記ネットに設けられ、
前記突起部は前記スピーカーボックスの前面に設けられ  前記電力分配手段に導通する導電体からなることを特徴としている。
【０００９】
この構成では、外観的にも全く問題なく簡単にネット側に電力を伝送することができる。
【００１０】
（３）前記接続手段は凹部と前記凹部と嵌合する突起部とで構成され、
前記凹部は前記スピーカーボックスの前面に取り付けられ、前記電力分配手段に導通する導電体からなり、
前記突起部は前記ネットに設けられたことを特徴としている。
【００１１】
この構成では、外観的にも全く問題なく簡単にネット側に電力を伝送することができる。
【００１２】
（４）この発明は、接続手段がスピーカーボックスとネットとを固定する手段を兼ねることを特徴としている。
【００１３】
この構成では、接続手段を固定手段で兼用することで構造が簡単になる。
【００１４】
【発明の実施の形態】
以下、図面を用いて本発明の実施形態に係るネット照明装置を備えるスピーカーシステムについて図  １、図２、図３、図４を参照しつつ詳細に説明する。
【００１５】
図１はスピーカーシステムの正面図である。図２は同システムを側面からみた内部構造図である。図３は同システムを上方からみた内部構造図である。図４はネットとスピーカーボックスとの接続部を示す部分拡大図である。
【００１６】
スピーカーシステムは、スピーカーボックス１の前面にネット２を取り付けることで構成され、そのネット２はスピ−カーボックスに対して着脱自在となっている。
【００１７】
スピーカーボックス１は、ウーハ−スピーカ−３と、  ウーハ−スピーカー３とＬＥＤ基板４とに電力供給を分配するための回路部品である電力供給部５と、ネット２を固定するピンの突起部６とを備える。ウーハ−スピーカー３はスピーカーボックス１の前面中央部に複数のビス７により固定されている。
【００１８】
また、電力供給部５はスピーカーボックス１内部の背面に設置されており、この電力供給部５の近傍に、音響装置本体からの電力を伝送するリード線８に接続するターミナル９が設置されている。さらに、ターミナル４と電力供給部５とはリード線１０により接続されている。
また、上述の突起部６は、スピーカーボックス１の本体前面下部両側（６ａ，６ｂ）と本体前面上部両側（６ａ’、６ｂ’）に設けられている。これらの突起部６は金属からなる導電体である。
【００１９】
電力供給部５は音響装置本体から供給される電力を２つに分配し、それぞれウーハ−スピーカー８につながるリード線１１と、突起部１３ａ、１３ｂに接続されるリード線１２ａ、１２ｂとに供給する。リード線１２ａ，１２ｂに供給する電力はリード線８から供給される電力の一部であり、  電圧を整流する場合には、リード線１２ａ、１２ｂの＋側を、前記ＬＥＤ基板４内のＬＥＤ１３のアノードＡに、−側を、カソードにそれぞれ接続する。
【００２０】
ネット２には電力が供給されることで点灯するＬＥＤ１３を備えたＬＥＤ基板４がウーハ−スピーカー８の下中央部付近に対向する位置に配置されている  （図２参照）。また、このＬＥＤ基板４の前方に、ＬＥＤ１３の光を透過して、所定のマーク（例えば△）１４を写しだすバッチ１５が配置されている。  （図１参照）。
【００２１】
さらに、  スピーカーボックスの突起部６ａ、６ｂ、６ａ’、６ｂ’に対向する位置に凹部１６ａ、１６ｂ、１６ａ’、１６ｂ’がネット２に備えられている。そして、その凹部１６ａ、１６ｂ、１６ａ’、１６ｂ’を、突起部６ａ、６ｂ、６ａ’、６ｂ’に対して嵌合させることでネット２がスピーカーボックス１に一体化し固定される。
【００２２】
また、凹部１６ａ、１６ｂは、  金属からなる導電体で構成されており、これら凹部１６ａ、１６ｂとＬＥＤ基板４とは、バネ性を持った金属端子１７で接続されている。これにより、凹部１６ａ、１６ｂと突起部６ａ、６ｂとを嵌合させることでＬＥＤ基板４と電力供給部５とが、電気的に接続される。
凹部１６ａ，１６ｂと突起部６ａ，６ｂ及び凹部１６ａ’，１６ｂ’と突起部６ａ’，６ｂ’はネット２とスピーカーボックス１とを固定する手段であるため、本実施形態では凹部１６ａ，１６ｂと突起部６ａ，６ｂが電気的接続手段とともに固定手段を兼用することになる。
【００２３】
このようなスピ−カーシステムでは、音響装置本体から電力が入力されると、電力供給部５で分配され、ウーハ−スピーカー３とＬＥＤ１３とに電力が供給されて、音声を出力しながら、ＬＥＤ１３が点灯する。
【００２４】
なお、上述の実施形態では、スピーカーボックスに突起部を設け、  ネットに凹部を設けた構成を示した。しかし、スピーカーボックスに凹部を設け、ネットに突起部を設けた構造であっても、上述の構成と同様の効果が得られる。
【００２５】
【発明の効果】
この発明によれば次の効果がある。
【００２６】
（１）ＬＥＤ照明手段を用いるためネットの任意の箇所にこれを取付可、且つ、スピーカーへの供給電力の一部を利用してＬＥＤ照明手段を駆動するため、電力の供給手段を別途設ける必要がない。
【００２７】
（２）外観的にも全く問題なく簡単にネット側に電力を伝送することができる。
【００２８】
（３）接続手段を固定手段で兼用することで構造が簡単になる。
【図面の簡単な説明】
【図１】本発明の実施形態に係るスピーカーシステムの正面図である。
【図２】同システムを図１のＡ−Ａ線で切断した場合の側面からみた内部構造図
【図３】同システムを上方からみた内部構造図
【図４】ネットとスピーカーボックスとの接続部を示す部分拡大図
【符号の説明】
１−スピーカーボックス
２−ネット
３−ウーハ−スピーカー
４−ＬＥＤ固定用基板
５−電力供給部
６−ネットＡＳＳＹ固定用ピン
兼、ＬＥＤ電力供給用ピン
７−ビス
８−音響装置本体からの電力供給用リード線
９−ターミナル
１０−電力供給部５とターミナル９をつなぐリード線
１１−ウーハ−スピーカー用リード線
１２−ＬＥＤ電力供給用リード線
１３−ＬＥＤ
１４ー照明用△マーク透明部品
１５−バッジ
１６−突起部に対向する凹部
１７−ＬＥＤ電力供給用ばね
【図１】
2004328404.tif 000003
【図２】
2004328404.tif 000004
【図３】
2004328404.tif 000005
【図４】
2004328404.tif 000006